(57)【要約】      （修正有）【課題】画像表示装置で遠方のライブ映像配信サイトからのライブ画像を受信し、その画像を絵画変換して表示できるとともに、ライブ映像配信サイトの環境に応じて絵画の雰囲気を変化させる。【解決手段】ライブ映像配信サイト５３０にセンサ４０を設置し、現場の環境情報を収集し、その環境情報に応じて画像表示装置１のパラメータメモリに記憶されている絵画変換の各種パラメータを変更することにより、配信された画像を絵画変換エンジンで絵画調に変換する際、変換される絵画の雰囲気を変え、遠方にある現場の環境に応じて変換された絵画を楽しむことができる画像表示装置、画像データ変換方法、画像配信システム、及びプログラムを提供する。更に、画像表示装置１の閲覧者の興味情報と環境情報を関連付け、環境情報と興味情報に応じて絵画変換のパラメータを変化させる。【選択図】図３
2012049850.tif 000002
【特許請求の範囲】
【請求項１】
画像データを記憶し表示する画像表示装置であって、
画像データを所定のパラメータに基づいて画調変換する画調変換手段と、
当該画像表示装置と離れた場所に設置されたサーバーから送られてくる環境情報を受信し、この環境情報に応じて前記パラメータを変更する変更手段と、
前記サーバーから配信される画像データを受信する受信手段と、を備え、
前記画調変換手段は、前記変更手段により変更されたパラメータにより前記受信された画像データを画調変換することを特徴とする画像表示装置。
【請求項２】
前記環境情報は、少なくとも温度、風速、気圧、湿度のいずれかを含む気象情報であることを特徴とする請求項１記載の画像表示装置。
【請求項３】
前記環境情報は、少なくとも緯度、経度、高度、地域のいずれかを含む位置情報であることを特徴とする請求項１記載の画像表示装置。
【請求項４】
前記環境情報は、少なくとも時刻、年、月、日、季節のいずれかを含む時間情報であることを特徴とする請求項１記載の画像表示装置。
【請求項５】
前記変更手段は、前記環境情報を請求項１記載のサーバーとは異なったサーバーから受信することを特徴とする請求項１記載の画像表示装置。
【請求項６】
前記画像表示装置の閲覧者の興味情報と前記環境情報を関連付け、該環境情報と興味情報によって前記所定のパラメータを変化させることを特徴とする請求項１記載の画像表示装置。
【請求項７】
前記興味情報は、閲覧者の少なくとも見た回数、見た時間、見た距離、見た角度、見ている際の移動状況のいずれかを含むことを特徴とする請求項６記載の画像表示装置。
【請求項８】
画像データをサーバーから配信し、前記配信された画像データを受信し、受信した画像データの画調を所定のパラメータに基づいて変換する画像データ変換方法において、
前記サーバー付近に設けられたセンサにより環境に関係する環境情報を収集し、該環境情報に応じて前記パラメータを変化させ、該変化したパラメータにより前記画像データを変換することを特徴とする画像データ変換方法。
【請求項９】
前記環境情報は、少なくとも温度、気圧、風速、湿度、照度、人感情報のいずれかを含むことを特徴とする請求項８載の画像データ変換方法。
【請求項１０】
前記環境情報は、少なくとも緯度、経度、高度、地域のいずれかを含むことを特徴とする請求項８記載の画像データ変換方法。
【請求項１１】
前記環境情報は、少なくとも時刻、年、月、日、季節のいずれかを含むことを特徴とする請求項８記載の画像データ変換方法。
【請求項１２】
前記環境情報は、当該サーバー外のサーバーからインターネットを介して受信されることを特徴とする請求項８記載の画像データ変換方法。
【請求項１３】
画像データを撮像する手段を備えた画像配信サイトと、
前記画像配信サイトから配信される画像データを受信し表示する画像表示装置と、
前記画像表示装置に設けられ、受信した画像データの画調を変換する画調変換手段と、
前記画像配信サイトに設けられる環境に関係する環境情報を収集する環境情報収集手段と、を備え、
前記画調変換手段は前記環境情報に応じて画調を変換することを特徴とする画像配信システム。
【請求項１４】
ライブ映像配信サイトから配信されるライブ映像を画像表示装置に表示するとともに、配信されたライブ映像の画像データを所定のパラメータに応じて絵画風の画調に変換する画像配信システムにおいて、
前記退部映像配信サイトにセンサを設置し、該センサにより現場の環境情報を収集し、その環境に応じて前記画像表示装置側の調画調変換のための前記所定のパラメータを変更することにより画調の雰囲気を変え、遠方にある現場の環境に応じて絵画変換を行うことを特徴とする画像配信システム。
【請求項１５】
前記画像表示装置の閲覧者の興味情報と前記環境情報を関連付け、該環境情報と興味情報によって前記絵画変換のパラメータを変化させることを特徴とする請求項１４記載の画像配信システム。
【請求項１６】
前記環境情報と興味情報を関連づけて蓄積またはフイードバックすることにより今後の配信に反映させることを特徴とする請求項１４記載の画像配信システム。
【請求項１７】
前記興味情報は、閲覧者の少なくとも見た回数、見た時間、見た距離、見た角度、見ている際の移動状況のいずれかを含むことを特徴とする請求項１５または１６いずれかに記載の画像配信システム。
【請求項１８】
コンピュータにより読み取られ実行可能なプログラムであって、
遠方にあるサーバーから配信された画像データを受信するプログラムステップと、
前記サーバー付近に設けられたセンサにより収集された環境に関係する環境情報を受信するプログラムステップと、
画像データを所定のパラメータに従って画調変換するプログラムステップと、
前記受信した環境情報に応じて前記パラメータを変更するプログラムステップと、
該変更されたパラメータにより前記受信した画像データの画調を変換するプログラムステップと、を含むプログラム。
【請求項１９】
更に、閲覧者の閲覧情報を収集するプログラムステップと、
前記パラメータを前記閲覧情報に応じて変更するプログラムステップと、を含む請求項１８記載のプログラム。
【発明の詳細な説明】
【技術分野】
【０００１】
本発明は、特に、インターネットを利用した画像配信に係る画像表示装置、画像データ変換方法、画像配信システム、及びプログラムに関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。まず、このような技術や写真文化の流れについて特許文献を参照しながら簡単に説明する。
【０００３】
上記のような状況において、画像データでも従来のプリント写真と同様の楽しみ方ができるようにするため、いわゆるデジタルフォトフレームが実現され普及している（例えば、特許文献１参照）。
このようなデジタルフォトフレームでは、撮影した写真を再生して好きなときに鑑賞したり、スライドショー表示したり、画像データを保存するアルバム端末として使用することができる。
【０００４】
そして、ネットワークに接続し、メールの送受信も可能なデジタルフォトフレームも提案されている（例えば、特許文献２参照）。
【０００５】
また、複数人に閲覧可能とし、複数の閲覧者の情報を登録しておき、閲覧する人に応じて表示のさせ方等を変えるものも提案されている（例えば、特許文献３参照）。
【０００６】
更に、画像処理を加えることで、元の写真をベースとしつつも趣の異なる画調の画像（例えば、絵画調など）を生成して表示することができるようにした技術も提案されている（例えば、特許文献４参照）。
【０００７】
特許文献４の技術を発展させ、実際に画家が描いた絵画の画像から色彩情報と筆蝕情報等の特徴を抽出し、撮影された画像に抽出した特徴を付与することにより、原画像全体を勘案して、芸術性の高い絵画調画像に変換する技術も提案されるに至っている（例えば、特許文献５参照）。
【０００８】
また、絵画調などの画質を変更することによって変化をもたせるものも提案されている。（例えば、特許文献６参照）。
【０００９】
更にまた、スライドショーのように複数の画像を順次切り替え表示する場合、表示に適さない画像が不用意に表示されてしまうことを効果的に防止できるようにしたものも提案されている（例えば、特許文献７参照）。
【００１０】
他方、メモリカードの容量が大きくなり、価格も安くなっているために、家族が複数のデジタルカメラで複数のメモリカードに写真を撮りためたまま、メモリカードの整理がつかなくなっているケースが増えている。どのメモリカードに誰が何の写真を撮ったか分からなくなると、いちいちカメラやデジタルフォトフレームで再生して確認してから、改めてパソコンなどにフォルダ分けをして整理した上で保存しなければならないという背景がある。
そこで、大量の画像をパソコンに保存する際に、予め設定した内容に沿って、自動的にフォルダ分けを行い、その分類内容によって画像整理を効率よく行わせる技術が提案されている（例えば、特許文献８参照）。
【００１１】
さて、このような従来のデジタルフォトフレームにおいては、内蔵若しくはメモリカードに記録されている画像を表示するだけなので物足りないという課題があった。
そこで、デジタルフォトフレームをインターネットに接続し、様々なコンテンツ画像を有料若しくは無料で配信することが提案されている（例えば、特許文献９参照）。
【００１２】
特許文献９記載の技術によれば、デジタルフォトフレームにおいて、ニュースや広告など、無料若しくは有料の複数のジャンルのコンテンツ配信を受けることができる。
【００１３】
コンテンツ配信には、遠方のライブカメラのライブ映像を配信するものもある。このコンテンツ配信技術と前記したような絵画変換技術を組み合わせれば、ライブ映像の絵画変換も可能である。ライブ映像には、リアルタイムの動画若しくは一定時間ごとに切り替わる静止画の画像データをサーバーにアップするもの、あるいは所定時間例えば５分間を繰り返し表示してダイナミック感を持たせるもの等がある。
そのライブ映像を絵画変換する際、従来のデジタルフォトフレームでは遠方のライブ配信側の現場の環境に応じて絵画変換の雰囲気を変化させることはできなかった。
【先行技術文献】
【特許文献】
【００１４】
【特許文献１】特開２００９−１４１６７８号公報
【特許文献２】特開２０１０−６１２４６号公報
【特許文献３】特開２０１０−８６９１４号公報
【特許文献４】特開平０８−４４８６７号公報
【特許文献５】特開２００４−２１３５９８号公報
【特許文献６】特公平０１−４６９０５号公報
【特許文献７】特開２００９−２８８５０７号公報
【特許文献８】特開２００９−８７０９９号公報
【特許文献９】特開２００３−９１６７５号公報
【発明の概要】
【発明が解決しようとする課題】
【００１５】
本発明は上記事情に鑑みてなされたもので、ライブ映像配信サイトにセンサを設置し、現場の環境情報を収集し、その環境に応じて、デジタルフォトフレーム側の表示画調を画調変換の各種パラメータを変化させることにより雰囲気を変え、例えば富士山が好天に恵まれているときは明るいタッチで、吹雪のときは重いタッチでなど遠方にある現場の環境に応じた画調でライブ映像を楽しむことができる画像表示装置、画像データ変換方法、画像配信システム、及びプログラムを提供することを目的とする。
【００１６】
本発明は、ライブ映像配信サイトからのライブ映像を画像表示装置で受信し、画調変換できるとともに、遠方のライブ映像配信サイトにセンサと環境情報収集システムを設け、その環境情報に応じてデジタルフォトフレーム側の画調変換のパラメータを変化させることを特徴とする。
【００１７】
更に、本発明の他の発展的な実施形態として、閲覧者を認識して閲覧者の興味情報を分析し、この興味情報と環境情報を関連付け、環境情報と興味情報によって画調変換のパラメータを変化させることを他の特徴とする。またそれを蓄積・フイードバックすることにより今後のコンテンツ配信に反映していくことにも利用できる。
【課題を解決するための手段】
【００１８】
前記課題を解決するため、請求項１記載の発明は、画像データを記憶し表示する画像表示装置であって、画像データを所定のパラメータに基づいて画調変換する画調変換手段と、当該画像表示装置と離れた場所に設置されたサーバーから送られてくる環境情報を受信し、この環境情報に応じて前記パラメータを変更する変更手段と、前記サーバーから配信される画像データを受信する受信手段と、を備え、前記画調変換手段は、前記変更手段により変更されたパラメータにより前記受信された画像データを画調変換することを特徴とする画像表示装置を提供するものである。
【００１９】
請求項２記載の発明は、前記環境情報は、少なくとも温度、気圧、風速、湿度のいずれかを含む気象情報であることを特徴とする請求項１記載の画像表示装置を提供するものである。
【００２０】
請求項３記載の発明は、前記環境情報は、少なくとも緯度、経度、高度、地域のいずれかを含む位置情報であることを特徴とする請求項１記載の画像表示装置を提供するものである。
【００２１】
請求項４記載の発明は、前記環境情報は、時刻、年、月、日、季節のいずれかを含む時間情報であることを特徴とする請求項１記載の画像表示装置を提供するものである。
【００２２】
請求項５記載の発明は、前記環境情報を、前記サーバーとは異なったサーバーから受信することを特徴とする請求項１記載の画像表示装置を提供するものである。
【００２３】
請求項６記載の発明は、前記画像表示装置の閲覧者の興味情報と前記環境情報を関連付け、該環境情報と興味情報によって前記所定のパラメータを変化させることを特徴とする請求項１記載の画像表示装置を提供するものである。
【００２４】
請求項７記載の発明は、前記興味情報は、閲覧者の少なくとも見た回数、見た時間、見た距離、見た角度、見ている際の移動状況のいずれかを含むことを特徴とする請求項６記載の画像表示装置を提供するものである。
【００２５】
請求項８記載の発明は、画像データをサーバーから配信し、前記配信された画像データを受信し、受信した画像データの画調を所定のパラメータに基づいて変換する画像データ変換方法において、前記サーバー付近に設けられたセンサにより環境に関係する環境情報を収集し、該環境情報に応じて前記パラメータを変換させ、該変換されたパラメータにより前記画像データを変換することを特徴とする画像データ変換方法を提供するものである。
【００２６】
請求項９記載の発明は、前記環境情報は、少なくとも温度、気圧、風速、湿度のいずれかを含むことを特徴とする請求項８載の画像データ変換方法を提供するものである。
【００２７】
請求項１０記載の発明は、前記環境情報は、少なくとも位置を示す情報を含むことを特徴とする請求項８記載の画像データ変換方法を提供するものである。
【００２８】
請求項１１記載の発明は、前記環境情報は、時刻情報、月日情報、季節情報のいずれかを含むことを特徴とする請求項６記載の画像データ変換方法を提供するものである。
【００２９】
請求項１２記載の発明は、前記環境情報は、当該サーバー外のサーバーからインターネットを介して受信されることを特徴とする請求項８記載の画像データ変換方法を提供するものである。
【００３０】
請求項１３記載の発明は、画像データを撮像する手段を備えた画像配信サイトと、前記画像配信サイトから配信される画像データを受信し表示する画像表示装置と、前記画像表示装置に設けられ、受信した画像データの画調を変換する画調変換手段と、前記画像配信サイトに設けられる環境に関係する環境情報を収集する環境情報収集手段と、を備え、前記画調変換手段は前記環境情報に応じて画調を変換することを特徴とする画像配信システムを提供するものである。
【００３１】
請求項１４記載の発明は、ライブ映像配信サイトから配信されるライブ映像を画像表示装置に表示するとともに、配信されたライブ映像の画像データを所定のパラメータに応じて絵画風の画調に変換する画像配信システムにおいて、前記退部映像配信サイトにセンサを設置し、該センサにより現場の環境情報を収集し、その環境に応じて前記画像表示装置側の調画調変換のための前記所定のパラメータを変更することにより画調の雰囲気を変え、遠方にある現場の環境に応じて絵画変換を行うことを特徴とする画像配信システムを提供するものである。
【００３２】
請求項１５記載の発明は、更に、前記画像表示装置の閲覧者の興味情報と前記環境情報を関連付け、該環境情報と興味情報によって前記絵画変換のパラメータを変化させることを特徴とする請求項１４記載の画像配信システムを提供するものである。
【００３３】
請求項１６記載の発明は、前記環境情報と興味情報を関連づけて蓄積またはフイードバックすることにより今後の配信に反映させることを特徴とする請求項１５記載の画像配信システムを提供するものである。
【００３４】
請求項１７記載の発明は、前記興味情報は、閲覧者の少なくとも見た回数、見た時間、見た距離、見た角度、見ている際の移動状況のいずれかを含むことを特徴とする請求項１５または１６いずれかに記載の画像配信システムを提供するものである。
【００３５】
請求項１８記載の発明は、コンピュータにより読み取られ実行可能なプログラムであって、遠方にあるサーバーから配信された画像データを受信するプログラムステップと、前記サーバー付近に設けられたセンサにより収集された環境に関係する環境情報を受信するプログラムステップと、画像データを所定のパラメータに従って画調変換するプログラムステップと、前記受信した環境情報に応じて前記パラメータを変更するプログラムステップと、該変更されたパラメータにより前記受信した画像データの画調を変換するプログラムステップと、を含むプログラムを提供するものである。
【００３６】
請求項１９記載の発明は、更に、閲覧者の閲覧情報を収集するプログラムステップと、前記パラメータを前記閲覧情報に応じて変更するプログラムステップと、を含む請求項１８記載のプログラムを提供するものである。
【発明の効果】
【００３７】
本発明によれば、画像表示装置において、離れた場所から配信されてくる画像を、その現場の環境に応じた画調に変換することができる。
【図面の簡単な説明】
【００３８】
【図１】本発明を適用した実施形態による画像表示装置１を示す外観図である。
【図２】本実施形態による画像表示装置１の電気的構成を示したブロック図である。
【図３】本実施形態による画像表示装置１が適用されるネットワーク系の構成を示すブロック図である。
【図４】本実施形態による表示装置１のメモリカード６０に記憶されている画像ファイルの構造を示す概念図である。
【図５】本実施形態による表示装置１の内部メモリ１４内のフォルダ構成を示す概念図である。
【図６】本実施形態による表示装置１の内部メモリ１４内に構成されるアドレス帳３３の構成を示す概念図である。
【図７】本実施形態による画像表示装置１の初期設定の際に、ユーザの顔とユーザのメールアドレスとを対応づけて登録するための手順を示すフローチャートである。
【図８】本実施形態による画像表示装置１において、ＳＤカードなどのメモリカード６０がメモリカードスロット６に差し込まれた際に、メモリカード６０に記憶されている画像を内部メモリ１４に保存する際の手順を示すフローチャートである。
【図９】本実施形態による画像表示装置１でメールを受信したときの手順を示すフローチャートである。
【図１０】本実施形態による画像表示装置１の再生動作について説明するフローチャートである。
【図１１】本実施形態による画像表示装置１の再生動作の中のスライドショー再生の手順を示すフローチャートである。
【図１２】本実施形態の変形例による画像表示装置のフォルダ構成を示す概念図である。
【図１３】本実施形態による画像配信システムに係る、ネットワークによるコンテンツ配信サービスの一例を示すブロック図である。
【図１４】本実施形態によるログ情報の解析について説明するための概念図である。
【図１５】本実施形態による画像表示装置１でのログ記録の概略動作を示すフローチャートである。
【図１６】本実施形態において、配信コンテンツサイト５３０から配信され、ネットワークサービスサイト５２０のコンテンツサーバー５２４に一時的に記憶されるコンテンツのファイル構成の一例を示す概念図である。
【図１７】本実施形態による絵画タッチの状態を示す図である。
【図１８】本実施形態による絵画変換の手順を示すフローチャートである。
【図１９】本実施形態による環境情報に応じて画調を変える例を示す図である。
【図２０】本実施形態による環境情報に応じて画調を変える他の例を示す図である。
【図２１】本実施形態による環境情報に応じて画調を変える他の例を示す図である。
【図２２】本実施形態による環境情報に応じて画調を変える他の例を示す図である。
【図２３】本実施形態による環境情報に応じて画調を変える他の例を示す図である。
【図２４】本実施形態による環境情報に応じて画調を変える他の例を示す図である。
【発明を実施するための形態】
【００３９】
以下、本発明の実施の形態について図面を参照して説明する。
【００４０】
Ａ．実施形態の画像表示装置
図１は、本発明を適用した実施形態による画像表示装置１を示す外観図である。画像表示装置１の正面には、本体２に保持された液晶表示パネル３によって構成される表示部が設けられている。この液晶表示パネル３には、タッチパネル５が一体的に構成されており、指でタッチすることにより操作可能となっている。本体２の前面上部右側には、撮像素子８が設けられ、側面には、メモリカードスロット６が設けられている。更に、本体上部にＧＰＳ（Global Positioning System）アンテナ７、全面上部左側にセンサ４０が設けられている。
【００４１】
図２は、本実施形態による画像表示装置１の電気的構成を示したブロック図である。画像表示装置１は、ＣＰＵ（Central Processing Unit）１１と、ＣＰＵ１１に接続されたＲＯＭ（Read Only Memory）１２と、ＲＡＭ（Random Access memory）１３と、内部メモリ１４とを備え、ＲＯＭ１２には、ＣＰＵ１１に後述するフローチャートに示す動作を行わせるためのプログラムが記憶されている。また、ＣＰＵ１１は、撮像素子８で撮像した顔を認識処理するための顔認識エンジン１００と、写真画像を絵画調の画像に変換する絵画変換エンジン２００、並びに環境情報を収集分析する環境情報エンジン４００とを含んでいる。
【００４２】
顔認識エンジン１００は、写真の中に複数の顔が写っている場合、それぞれの顔を認識する能力を備えている。
【００４３】
絵画変換エンジン２００は、例えば、特開平８−４４８６７号公報（特許文献４）、特開２００４−２１３５９８号公報（特許文献５）などに開示されているような絵画変換処理を行う。絵画変換エンジン２００による絵画変換処理は、メモリカード６０に記憶されている表示対象の画像あるいはインターネット５００を介して受信した画像を、絵画が有する特徴を備えた絵画調画像、つまり特定の効果を与えた絵画調画像に変換し、変換後の絵画調画像を液晶表示パネル３に表示する処理である。
【００４４】
また、絵画調画像への変換に際して目標とする絵画の種類、つまり変換画調画像にする特徴（画調、画風）が選択可能である。本実施形態において、選択可能な画調は、油絵調、水彩画風、油彩画風、パステル調、色鉛筆画調、クレヨン画調、イラスト画調、点描画調、エアブラシ、シルクスクリーン風、刺繍絵風、コラージュ（糊付け）風とする。
しかし、これに限ることなく、ゴッホ調、モネ調、ピカソ調など、画家の特徴を加味した変換の選択を可能としても良い。また、別の画調のアルゴリズムを後述するメモリカード６０で提供することもできる。画調の描画タッチとして筆の太さも選択可能である。
【００４５】
環境情報エンジン４００は、センサ４０で得られる人の近接情報（人感情報）、温度、湿度、気圧、風速などを得るとともに、後述するＧＰＳ制御部２０からの緯度、経度、高度等の位置情報、年月日、時刻、季節等の時間情報、撮像素子８から得られる画像情報、インターネット５００を介して他のサイトから得られる天気予報情報などを収集して環境情報を得るためものである。
【００４６】
これら顔認識エンジン１００、絵画変換エンジン２００、環境情報エンジン４００はＣＰＵ１１と協働するＡＳＩＣ（Application Specific Integrated Circuit：特定用途向け集積回路）、若しくはＤＳＰ（Digital Signal Processor）、あるいはリコンフィギュラブルＬＳＩ（Ｃ言語などのプログラムによって再構成可能なＬＳＩ）によって構成される。
【００４７】
ＲＡＭ１３は、ＣＰＵ１１が必要に応じて種々のデータを一時的に記憶する作業用のメモリである。内部メモリ１４は、ハードディスク、またはフラッシュメモリによる大容量不揮発性メモリであり、詳細は後述するが、フォルダが形成されて多数の画像を保存可能となっている。また、電話帳３３、反応ログメモリ３００も含む。
【００４８】
表示制御部１６は、ＣＰＵ１１から供給される表示用の画像データに基づいて液晶表示パネル３を駆動することにより、画像や、各種メニューを液晶表示パネル３に表示させる。キー入力部制御部１７は、ＣＰＵ１１の制御に基づいてタッチパネル５の操作信号を入力するものである。
【００４９】
タッチパネル５は、静電容量方式、光学方式、抵抗膜方式、表面弾性波方式、超音波方式、電磁誘導方式など様々存在する中から、適宜選択することができる。指紋認証や、静脈認証の機能を組み込むことも可能である。
【００５０】
メモリカードインターフェース１８は、メモリカードスロット６に着脱自在に装着された各種のメモリカード６０と、ＣＰＵ１１との間におけるデータの入出力を制御する入出力インターフェースである。
【００５１】
撮像制御部１９は、撮像素子８を駆動して被写体の画像を取り込む制御を行う。ベイヤーデータで取り込まれた画像データは、ＹＵＶ、及びＲＧＢデータに変換後、ＪＰＥＧ（Joint Photographic Experts Group）データに圧縮されて内部メモリ１４またはメモリカード６０に記録される。
【００５２】
ＧＰＳ制御部２０は、ＧＰＳアンテナ７で受信した情報を元に位置情報を取得する。これにより、画像表示装置１の現在位置を知ることができる。
電源制御部７０は、電源プラグ３１を介してＡＣ電源を取り入れ、直流に変換して各部に主電源７１若しくは待機電源７２の電力を供給する。
【００５３】
センサ４０は、環境情報を得るためのセンサで、人感センサ、ラインセンサ、温度センサ、湿度センサ、気圧センサ、風速センサ、照度センサ等を含み、ＣＰＵ１１、顔認識エンジン１００、環境情報エンジン４００、及び撮像素子８と協働することにより各種環境情報を得ることができる。
【００５４】
例えば近くに人がいるかどうかを検知し、近くに人がいない状態が所定時間以上続くと電源制御部７０をＣＰＵ１１により制御し、自動的に主電源７１を切って待機電源７２だけ供給しておき、節電を図り（オートパワーオフ）、再度、センサ４０が人の接近を検知すると、主電源７１をオンする。
【００５５】
また、閲覧者の角度や、距離を測定することができる。更に、閲覧者の顔を認識し、誰が閲覧しているかによって電源の制御が可能であるとともに、誰がどの角度で、近くから見ているか遠くから見ているかも検出することができる。
【００５６】
通信制御部３０は、電話回線３１若しくは無線ＬＡＮ３２を経由してインターネット５００に接続し、メールの送受信や、コンテンツの送受信を含む通信制御を行う。アドレス帳３３は、メール送受信に用いられ、実際は、内部メモリ１４内に設けられる。
【００５７】
反応ログメモリ３００は、内部メモリ１４内に設けられ、上述した撮像素子８で撮像し、顔認識エンジン１００で認識した結果や、人感センサ１９の反応結果、タッチパネル５のタッチ結果などにより、閲覧者の反応ログ（履歴）を記憶する。
【００５８】
次に、図３は、本実施形態による画像表示装置１が適用されるネットワーク系の構成を示すブロック図である。５１０はパーソナルコンピュータであり、無線ＬＡＮ３２等で通信制御部３０を介して画像表示装置１と接続でき、画像表示装置１では設定できない複雑な設定等をすることができる。
【００５９】
５２０は、インターネット５００を介して接続されるネットワークサービスサイトであり、少なくとも認証サーバー５２１、メールサーバー５２２、課金サーバー５２３、コンテンツサーバー５２４、絵画変換サーバー５２５、環境情報サーバー５２６を含む。表示装置１のネットワークプロバイダの役割もしている。
【００６０】
絵画変換サーバー５２５は前期絵画変換エンジン２００をサーバー側にも持たせたものであり、環境情報サーバー５２６は環境情報エンジン４００をサーバー側にも持たせたものである。更に、配信コンテンツサイト５３０にも環境情報エンジン４００を持たせる。これにより、遠方の配信コンテンツ供給元の環境情報を画像表示装置１で知ることができる。なお、環境情報エンジン４００はセンサ４０とセットで設けられるものである。
【００６１】
５３０は、表示装置１に表示させるための各種コンテンツを配信するための配信コンテンツサイトで、多数のコンテンツや、画像などを有しており、インターネット５００を介して画像表示装置１若しくはネットワークサービスサイト５２０へデータを配信することができる。
【００６２】
配信コンテンツサイトの例としては、ライブカメラ映像を設置しライブ映像を配信するライブ映像コンテンツ配信サイトがある。山や空、ビル群などを常時撮影していて、動画若しくは静止画でネットワークサービスサイト５２０へ配信する。
【００６３】
図４は、本実施形態による表示装置１のメモリカード６０に記憶されている画像ファイルの構造を示す概念図である。各画像ファイルは、ＥＸＩＦ（Exchangeable Image File Format）などのデータを有するヘッダＧ１と、撮影された画像であり本画像である画像データＧ２と、その画像データＧ２の縮小画像であるサムネイルＧ３の画像データを含む。なお、表示画面の大きさにより、画面に表示すべき縮小画像の大きさが異なるため、サムネイルとは別に表示用のプレビュー画像を作成して記憶しておく場合もある。本実施形態では、プレビュー画像も含めてサムネイルと表現している。
【００６４】
つまり、画像ファイルは、一般的なデジタルカメラのファイルフォーマットに準拠し、デジタルカメラで撮像したＳＤカード（メモリカード６０）をメモリカードスロット６に差し込むだけで使用できるようになっている。画像ファイルのフォーマットとしては、ＪＰＥＧ、ＧＩＦ（Graphics Interchange Format）、ＡＶＩ（Audio Video Interleave）、ＰＮＧ（Portable Network Graphics）など種々のフォーマットに適宜対応可能である。
【００６５】
以下は、本実施形態に特有のデータである。まず、Ｇ４は、画像の保存操作を行った人物を示す個人識別コードであり、人物の特定は、顔認識により識別する。例えば、お父さんであれば“１００１”、お母さんであれば“１００２”のように、個人別に識別コードが割り振られる。
【００６６】
Ｇ５は、画像の用途を示し、仕事用、プライベート用などに分類した分類コードである。例えば、仕事用であれば“０１”、プライベート用であれば“０２”、旅行用であれば“０３”の分類コードが記録される。この分類は、自分の画像について自由に分類分けを行うことができる。
【００６７】
Ｇ６は、その画像をシークレット設定するかどうかを示すシークレットフラグであり、シークレット設定にする場合には“１”、そうでない場合には“０”とする。
【００６８】
Ｇ７は、表示している画像を閲覧している人物を示す閲覧者コードである。閲覧者の特定は、画像を表示している際に撮像素子８で撮像した人物を顔認識し、既に登録されている人物であれば、該当人物の識別コードを閲覧者コードとして記録し、登録されていない新規な人物であれば、新たに閲覧者コードを発行して記録していく。
【００６９】
Ｇ８は、閲覧者別の閲覧回数を記憶する。Ｇ７とＧ８は、便宜上、別々に示しているが、閲覧者コードと閲覧回数とをセットで記憶していくものである。すなわち、この画像をＡさんが２回見ていれば、Ａさんの閲覧者コード“１１０１”×２、Ｂさんが３回見ていれば、Ｂさんの閲覧者コード“１０５２”×３、ということになる。
【００７０】
図５は、本実施形態による表示装置１の内部メモリ１４内のフォルダ構成を示す概念図である。本実施形態では、内部メモリ１４に画像認識により識別された個人毎のフォルダが作成される。図４には、１つの画像ファイルの構成を示したが、基本的には、この画像ファイルの個人識別コードＧ７毎にフォルダを形成する。例えばお父さんの識別コード“１００１”に対応するフォルダＦ１、お母さんの識別コード“１００２”に対応するフォルダＦ２、…のようになる。また、個人のフォルダ内に、画像ファイルの分類コードＧ５に応じて、あるいはシークレットフラグを付けたものについてサブフォルダＳＦを形成する。例えば、仕事用サブフォルダＳＦ１、プライベート用サブフォルダＳＦ２、シークレットフラグを立てたサブフォルダＳＦ３、メールで受信した画像用のサブフォルダＳＦ４が形成される。なお、これらのフォルダは、論理フォルダであって物理的にメモリエリアが区分けされているわけではない。
【００７１】
図６は、本実施形態による表示装置１の内部メモリ１４内に構成されるアドレス帳３３の構成を示す概念図である。３３１は、プロファイルと呼ばれる保有者のメールアドレス情報を記憶するエリアであり、３３２は、送受信する相手先のメールアドレス情報を記憶するエリアである。Ｍ２は、メールアドレスそのものが記録されるエリアであり、Ｍ１は、該当メールアドレスの保有者の名前が記録されるエリアである。名前は、自由に付けることができる。Ｍ３は、該当メールアドレスの個人の顔画像を登録するエリアである。Ｍ４は、上述した個人識別コードが記録されるエリアである。Ｍ５は、その他の各種情報、例えば、住所、着信拒否、…が必要に応じて適宜記録されるエリアである。
【００７２】
以下、本実施形態の画像表示装置１及びネットワークシステムの具体的な動作についてフローチャートを参照しながら説明する。なお、説明を分かりやすくするために、フローチャートは、操作者の操作手順に沿った表現となっているが、これに伴って回路やデータの動きについて説明をしていく。
【００７３】
図７は、本実施形態による画像表示装置１の初期設定の際に、ユーザの顔とユーザのメールアドレスとを対応づけて登録するための手順を示すフローチャートである。まず、ユーザのメールアドレスを設定する（ステップＳ１０）。このユーザのメールアドレスの設定方法について説明する。初回起動時に画像表示装置１と認証サーバー５２１とをネット接続し、認証を受けたらメールサーバー５２２から画像表示装置１に対してユニークなメールアドレスが発行され、付与される。パーソナルコンピュータ５１０からメールサーバー５２２にアクセスして、上記ユニークなメールアドレスを好きなメールアドレスに変更する。このメールアドレスを家族や友人に知らせれば、画像メールの送受信が可能となる。これは、基本的には、パーソナルコンピュータや携帯端末などのアドレス初期設定と同様である。
【００７４】
次に、画像表示装置１のユーザ（保有者を含む使用者：複数可）が自分の顔を登録する。撮像素子８は、電源オン中、ほぼ常時撮像をしているが、ユーザが、自分のメールアドレスが液晶表示パネル３に表示されている状態で（ステップＳ１２）、液晶表示パネル３に表示される顔登録ボタンをタッチパネル５でタッチすると（ステップＳ１４）、ＣＰＵ１１は、顔認識エンジン１００によりユーザの顔を認識し、上記ユーザのメールアドレスとユーザの顔とを対応付けてアドレス帳３３に登録する（ステップＳ１６）。
【００７５】
図８は、本実施形態による画像表示装置１において、ＳＤカードなどのメモリカード６０がメモリカードスロット６に差し込まれた際に、メモリカード６０に記憶されている画像を内部メモリ１４に保存する際の手順を示すフローチャートである。まず、メモリカード６０がメモリカードスロット６に挿入されたか否かを判断し（ステップＳ２０）、メモリカード６０がメモリカードスロット６に挿入されると、ＣＰＵ１１は、そのとき撮像素子８により撮影されているユーザの顔に対して、顔認識エンジン１００を用いて顔認識を行う（ステップＳ２２）。
【００７６】
次に、顔認識した顔に対して、個人識別コードが登録されているか否かを判断する（ステップＳ２４）。すなわち、図５に示したように、個人識別コードに対応してフォルダが構成されているので、認識した人のフォルダが存在しているか否かを判断することになる。例えば、存在していない新しいユーザであれば、新たに識別コードを発行して顔を登録するとともに、フォルダを作成する（ステップＳ２６）。一方、操作しているユーザが識別コード“１００１”のお父さんであれば、フォルダＦ１を選択する（ステップＳ２８）。登録されていないユーザの画像保存はできないようにしてもよい。
【００７７】
次に、液晶表示パネル３に表示されている保存ボタンが押されたか否かを判断し（ステップＳ３０）、保存ボタンがタッチキー５を介して押されると、メモリカード６０に記録されている画像を、該当するフォルダにコピーする（ステップＳ３２）。すなわち、ユーザ（操作者）は、特に意識することなく、自分のフォルダに画像を保存することができる。その後、適宜、メニューに従ってフォルダ内での分類によるサブフォルダ作成や、シークレットフラグの設定を行うことができる。
【００７８】
図９は、本実施形態による画像表示装置１でメールを受信したときの手順を示すフローチャートである。画像表示装置１に自己のメールアドレスが設定されていなければ、そもそもメールを受信できないが、設定されている場合には、例えば、お父さんのメールアドレス（father@***.**.jp）で受信したとすると（ステップＳ４０）、受信したメールアドレスに対応するフォルダが存在しているかを判断する（ステップＳ４２）。そして、対応するフォルダが存在しないと判断された場合には、受信したメールを共用フォルダＦ６に保存する（ステップＳ４４）。一方、対応するフォルダ、例えば、お父さんのメールアドレスに対応するフォルダＦ１が存在していると判断された場合には、対応するフォルダＦ１にメールが保存されるとともに、メールに画像が添付されている場合には、その画像を画像メール用サブフォルダＳＦ４に保存する（ステップＳ４６）。
【００７９】
図１０は、本実施形態による画像表示装置１の再生動作について説明するフローチャートである。再生には、内部メモリ１４に記憶された画像を再生する場合、挿入されたメモリカード６０に記憶された画像を再生する場合、１枚だけ再生する場合、スライドショー再生する場合などがある。
【００８０】
ユーザ（操作者：登録されているユーザと登録されていないユーザとを含む）が画像を再生しようとして画像表示装置１の前に来ると、撮像素子８が撮像しているので、ＣＰＵ１１と顔認識エンジン１００とが協働して操作者の顔を認識し（ステップＳ５０）、再生操作があったか否かを判断し（ステップＳ５２）、再生操作があると、認識した顔のユーザが登録されているか否かを判断する（ステップＳ５４）。そして、顔が登録されていれば、画像表示装置１のユーザであると推定できるので、対応するフォルダ、例えば、認識されたのがお父さんであれば、お父さんフォルダＦ１に保存されている画像と共用フォルダＦ６に保存されている画像とを再生可能にする（ステップＳ５６）。他の人のフォルダ、例えばお母さんフォルダＦ２、妹フォルダＦ４などは勝手に再生できない。一方、顔が登録されていなければ、共用フォルダＦ６に保存されている画像のみを再生可能にする（ステップＳ５８）。そして、ステップＳ６０へ進み、所定の再生操作を行う。
【００８１】
ただし、顔認識エンジン１００は、画像に写っている複数のユーザの顔を認識可能なので、お父さんと一緒にお母さんも写っていれば、お母さんフォルダＦ２の内容も再生可能となる。
なお、複数のユーザの顔が認識され、登録されているユーザと登録されていないユーザとが混在している場合の制御については後述する。
【００８２】
図１１は、本実施形態による画像表示装置１の再生動作の中のスライドショー再生の手順を示すフローチャートである。図１０のステップＳ５２に相当する再生操作の有無の判断を行ったとき（ステップＳ７０）、それがスライドショー再生か否かを判断する（ステップＳ７２）。そして、スライドショー再生でなければ他の処理へ進む。
【００８３】
一方、スライドショー再生であれば、まず、１枚目の画像を読み出す（ステップＳ７４）。スライドショー再生としては、特定フォルダ内再生、古い順再生、または新しい順再生、ランダム再生などがある。次に、現在見ている閲覧者（登録されているユーザと登録されていないユーザとを含む）の顔認識を行う（ステップＳ７６）。そして、顔認識された顔が前に閲覧した閲覧者の顔か否かを判断する（ステップＳ７８）。図４に示すように、画像毎に閲覧者コードＧ７が用意されており、一度閲覧すると閲覧者コードＧ７と閲覧回数Ｇ８とが組になって登録されている。
【００８４】
そこで、顔認識された顔が前に閲覧した閲覧者の顔でないと判断された場合、再生対象の画像は、該顔認識された閲覧者が見たことがない画像であるので、その画像の表示を行い（ステップＳ８０）、閲覧者コードを発行し、顔画像の登録と閲覧回数の加算を行う（ステップＳ８２）。一方、顔認識された顔が前に閲覧した閲覧者の顔であると判断された場合、再生対象の画像を、顔認識された閲覧者が前に見たことがあった場合であるので、ステップＳ８０、Ｓ８２をスキップして、ステップＳ８４へ進む。
【００８５】
次に、インタラプトが無いか否かを判断する（ステップＳ８４）。すなわち、画像を表示中に、現在見ている閲覧者が変わった場合、あるいは新たな閲覧者が加わった場合の処理である。本実施形態では、表示する画像を選択する前に顔認識を行っているが、スライドショーは、数秒間同じ画像を表示し続けているので、当然、その間に閲覧者がいなくなったり、増えたり、変更したりすることが考えられる。
【００８６】
ここでは、表示中の画像が特定の人、あるいは所有者以外には見られては相応しくない場合の対策を想定する。例えば、家族以外の人の顔を検出した場合、すなわち、インタラプトがあった場合には、表示を停止させるか、別の画像を読み出して差し替える（ステップＳ８６）。差し替え用の特定の画像を用意しておいても良い。このインタラプト処理は、便宜上、フローチャートのこの位置に表現したが、インタラプト信号によりいつでも受け付けるようにすることもできる。
【００８７】
また、シークレットフラグを立てたサブフォルダＳＦ３から読み出された画像を表示中に、その保有者以外の新たな閲覧者が加わった場合も、ステップＳ８６へ進み、表示を停止させるか、別の画像を読み出して差し替える。
【００８８】
そして、終了指示があったか否かを判断し（ステップＳ８８）、終了指示がなければ、ステップＳ７４に戻って次の画像を読み出し、上述した処理を繰り返す。一方、終了指示があれば、当該処理を終了する。
【００８９】
すなわち、本実施形態においては、スライドショーを表示する際、長時間になると同じ画像の繰り返しとなってくるので、見飽きてくる可能性があり、閲覧者を顔認識することによって、該閲覧者がまだ見ていない画像を表示するようにしている。
【００９０】
なお、図１１に示すフローチャートには、詳細まで記載していないが、閲覧者が複数の場合には、誰も見ていない画像＞見たことがない人が混じっている＞全員が見たことがある、の順で優先順位付けを行う。つまり、誰も見ていない画像を第１優先、見たことがない人が混じっている画像を第２優先、全員が見たことがある画像を第３優先として類別する。
【００９１】
そして、まず、第１優先に属する画像をスライドショー表示し、第１優先に属する画像を全て表示し終えたならば、第２優先に属する画像をスライドショー表示する。第２優先に属する画像を全て表示し終えたならば、第３優先に属する画像をスライドショー表示し、第３優先に属する画像を全て表示し終えたならば、第１優先に属する画像からのスライドショー表示を再度実行する。
【００９２】
無論、上記処理は、ある瞬間における閲覧者の数、または構成員が変化しない状態での動作であり、閲覧者の数、または構成員が変化する都度、新たに上記第１、第２、第３優先の類別は変化することとなる。
【００９３】
更に、シークレットフラグＧ６がついている画像は、最初から表示対象としない。顔認識によりその画像の保有者本人であると認識されたときのみ表示しても良く、その際はステップＳ８４により他人の顔が検出された瞬間、ステップＳ８６で表示停止とする。
【００９４】
なお、図１０及び図１２に示したフローチャートにより表示される画像は、画調変換されていない画像に関するものであり、画調変換された画像に関しては、何らの制限もなくスライド表示可能である。この場合、例えば、画調変換した画像をスライドショーモードが設定されたことを条件として、特定のフォルダ内の画像を画調変換して表示、古い順または新しい順で画像を画調変換して表示、ランダムに画像を画調変換して表示のいずれであってもよい。
【００９５】
Ｂ．本実施形態の変形例
ここで、本発明の実施形態の変形例について説明する。
図１２は、本変形例による画像表示装置のフォルダ構成を示す概念図である。第１実施の形態においては、図５に示すように、個人識別コードによる保有者別のフォルダを形成した。これに対し、本変形例では、図１２に示すように、複数のメモリカード毎に、内部メモリ１４にフォルダを形成して保存する。
【００９６】
現在、カメラのＳＤカードや、携帯電話のミニＳＤカード、マイクロＳＤカード等を何枚もそのまま保管していて、どれがどれだか分からなくなってしまうケースも多い。複数のカメラで複数のＳＤカードを使用した場合も、どのＳＤカードをどのカメラでいつ撮影して何が記録されているかが分からなくなってしまうケースもある。
【００９７】
そこで、図８のフローで示したと同様、特別な操作を行うことなくメモリカード６０を画像表示装置１に差し込むだけで、例えば、Ａ社のＳＤカード（１）Ｆ１１、Ａ社のＳＤカード（２）Ｆ１２，Ｂ社のＳＤカード（１）Ｆ１３、携帯電話のマイクロＳＤカードＦ１４、…のようにフォルダ分けされる。Ａ社、Ｂ社と言っているのは、カメラ、または携帯のメーカー名である。もちろん、顔認識により個人識別コードを付けることで、保有者は明確になっている。すなわち、ＳＤカード（１）を挿入したのがお父さんであれば、フォルダＦ１１の保有者はお父さんである。
【００９８】
つまり、実施形態と同様、特別な操作を行うことなくメモリカード６０を画像表示装置１に挿入して画像を保存していけば、カード別のフォルダが自動的にできるので、家庭用アルバム端末として好適である。
【００９９】
なお、図１２において、下段のフォルダは、画像を何らかの形で加工したものが記憶される。例えば、フォルダＦ１５は、絵画変換した画像、フォルダＦ１６は、シークレットフラグを設定した画像、フォルダＦ１７は、修正加工を行った画像、そして、フォルダＦ１８は、お気に入り画像が保存されるフォルダである。
【０１００】
この変形例においても、顔認識によって誰が挿入したメモリカードかが分かるので、図５における個人別フォルダの中に、これらのフォルダをサブフォルダとして設けても良い。
【０１０１】
Ｃ．本実施形態の画像配信システム
次に、本発明の実施形態の画像配信システムについて説明する。
図１３は、本実施形態による画像配信システムに係る、ネットワークによるコンテンツ配信サービスの一例を示すブロック図である。１は、図２における画像表示装置、５２０は、図３におけるネットワークサービスサイト、５３０は、同じく配信コンテンツサイトに対応する。
【０１０２】
配信コンテンツサイト５３０からは、コンテンツが配信されるが、図１３に示すように、複数枚の静止画データと、テロップ用文字データと、音声データとから構成される。これらのコンテンツは、基本的に配信コンテンツサイト５３０からコンテンツサーバー５２４の中に置かれる。それを画像表示装置１の液晶表示パネル３に表示することになる。静止画のみを表示したり、その上にテロップ文字を流したり、音声や、音楽を流すことができる。
【０１０３】
図１４は、本実施形態の特徴であるログ情報の解析について説明するための概念図である。ＣＰＵ１１は、撮像素子８で撮像されたユーザ（閲覧者）の画像を解析し、液晶表示パネル３に表示されている画像を閲覧している閲覧者の閲覧角度情報、距離情報を算出する。図４で説明したように、閲覧者の閲覧回数は、顔認識により、画像毎、あるいはコンテンツ毎にカウント可能である。ここで興味指数という概念を導入する。
【０１０４】
図１４において、ＣＰＵ１１は、撮像素子８による撮像結果から、閲覧者と画像表示装置１との角度θ１、θ２、θ３を判断するとともに、画像表示装置１に対する閲覧者との距離Ｌ１、Ｌ２、Ｌ３を判断する。そして、角度と距離でそのコンテンツの注目度を解析し、興味指数としてログ情報に反映する。閲覧時間や、閲覧回数に加えて、閲覧者の顔、液晶表示パネル３に対する距離、角度、動きを認識すれば、様々な興味指数の取得が可能である。
【０１０５】
液晶表示パネル３に対する動きとしては、例えば、顔認識により、コンテンツに注目しているときの閲覧者の液晶表示パネル３に対する閲覧角度の角度θ１から角度θ３への変化や、閲覧者の液晶表示パネル３に対する閲覧距離の距離Ｌ３から距離Ｌ２への変化を、アルゴリズム化してコンテンツへの興味指数としてログ情報に反映する。
【０１０６】
また、事前に家族の顔認識をしておき、何のコンテンツを誰がどのぐらい見ていたかの情報をログ情報に反映してもよい。あるいは、家族の表情を認識しておき、そのコンテンツを見たときの反応（笑う、関心する、驚く）等の情報も反映してもよい。更に、１日、１週間、…等、画像表示装置１の設置場所での家族の滞在状況もログ情報に反映してもよい。また、認識情報だけでなく、お気に入りに登録したか、全画面表示にしたか等の操作も興味指数として反映してもよい。
【０１０７】
図１５は、本実施形態による画像表示装置１でのログ記録の概略動作を示すフローチャートである。画像表示装置１が無線ＬＡＮなどでネットワークに接続されている前提で、ＣＰＵ１１は、コンテンツ表示モードにする（ステップＳ９０）。コンテンツ表示モードとは、配信コンテンツサイト５３０から配信されるコンテンツを受信して表示するモードであり、例えば、天気予報チャンネル、ファッションチャンネル、着こなし提案チャンネル、株価チャンネル、ライブカメラチャンネル、…などがある。コンテンツ情報は、図１３で説明したように、一旦、ネットワークサービスサイト５２０のコンテンツサーバー５２４に置かれ、そこから画像表示装置１に通信制御部３０を介してダウンロードされる。
【０１０８】
そこで、ＣＰＵ１１は、ユーザに希望のチャンネルを選択させる（ステップＳ９２）。ユーザがチャンネルを選択すると、選択されたチャンネルの所定ページを表示する（ステップＳ９４）。撮像素子８は、基本的に常時撮影を行っており、顔認識エンジン１００により操作者（閲覧者）の顔を認識する（ステップＳ９６）。その後、ＣＰＵ１１は、閲覧者までの距離、閲覧者の閲覧方向を示す、垂直方向（画面から見て正面）からの角度を演算により求める（ステップＳ９８、ステップＳ１００）。更に、認識された顔が移動した場合、移動した距離や、角度を検出する（ステップＳ１０２）。図１４で説明したように、閲覧者の閲覧方向が、角度θ１から角度θ３へ変化したら、斜めから正面へ移動したということで興味指数が高いとみなす。また、画像表示装置１と閲覧者との距離が、距離Ｌ３から距離Ｌ１へ変化したら、画面に近づいたということで、やはり興味指数が高いとみなす。
【０１０９】
ＣＰＵ１１は、これらの情報を総合して興味指数を演算する（ステップＳ１０４）。興味指数の演算方法は、いろいろ考えられるが、例えば、個人識別コード“１００１”の「お父さん」のそのコンテンツに対する興味指数は、「見た回数」、「見た時間」、「見た距離」、「見た角度」、「見ている際の移動状況」、「お気に入り登録操作」、「全画面表示操作」に依存する。これをログ情報として反応ログメモリ３００に記録する（ステップＳ１０６）。
【０１１０】
この状態において、何らかの操作が行われたか否かを判断し（ステップＳ１０８）、例えば、別のチャンネル選択操作が行われた場合には、ステップＳ９２へ戻り（Ａ）、同じチャンネルの別の画面を指定する操作が行われた場合には、ステップＳ９４へ戻る（Ｂ）。それ以外の操作が行われた場合には、その操作に従って必要な処理フローへ進む（ステップＳ１１０のＣ）。
【０１１１】
このログ情報は、ネットワークサービスサイト５２０にとっては、どんなコンテンツの購入を行うか、どのような表示をさせるかの重要な情報となり、配信コンテンツサイト５３０にとっては、コンテンツ作成上、また課金金額を決定するための重要な情報となる。更に、閲覧者の顔を認識してその人の興味のあるコンテンツを自動的に表示することも可能である。
【０１１２】
図１６は、本実施形態において、配信コンテンツサイト５３０から配信され、ネットワークサービスサイト５２０のコンテンツサーバー５２４に一時的に記憶されるコンテンツのファイル構成の一例を示す概念図である。Ｃ１は、ヘッダで、配信会社情報、データの種類、データのサイズなど、コンテンツファイル自身の特徴を示すデータが書き込まれる。Ｃ２は、アプリケーションであり、このコンテンツがプログラムで動く場合のプログラムが書き込まれる。例えば、アドビフラッシュ（アドビ社の商標）、ＪＡＶＡ（登録商標）（サンマイクロシステムズ社の商標）などである。Ｃ３は、コンテンツの主体である実際に表示されるデータ部分である。Ｃ４は、音声データ、Ｃ５は、図１３に示したようなテロップを含む文字データ、Ｃ６は、上記アプリケーションＣ２が使うパーツデータ、Ｃ７は、配信先、配信時間などを含む配信情報、Ｃ８は、有料コンテンツの場合の課金情報、Ｃ９は、広告を含む場合の広告情報である。
【０１１３】
Ｃ１０は、上述したように認識結果である個人識別コードを含む閲覧者情報、Ｃ１１は、上述したように「見た回数」、「見た時間」、「見た距離」、「見た角度」、「見ている際の移動状況」、「お気に入り登録操作」、「全画面表示操作」から算出された興味指数情報である。この閲覧者情報Ｃ１０と興味指数情報Ｃ１１とは、このコンテンツを特定するヘッダＣ１とともに反応ログメモリ３００に保存される。
【０１１４】
なお、本実施形態では、撮像素子による認証を行ったが、タッチパネル５やボタン部に指紋認証や静脈認証技術を設けることもできる。指紋認証や静脈認証によるログ情報の解析の例としては以下のようなものがある。
例えば個人割り当てのボタンを用意してチャンネル選択の時間帯等を情報化する、広告ウインドウを閉じたかどうか、更に詳細情報を見たかどうか、詳細情報をダウンロードしたかどうか、コンテンツ配信側が出す案内情報のウインドウの選択状況、画像の静止ボタンやダウンロードボタンを何のコンテンツで誰が押したか、などの情報を興味指数に取り入れログ情報として解析することができる。
【０１１５】
次に、環境情報に応じた絵画変換を行う例について説明する。
絵画変換とは、上述したように写真などの画像を油絵調、水彩画風、油彩画風、パステル調、色鉛筆画調、クレヨン画調、イラスト画調、点描画調、エアブラシ、シルクスクリーン風、刺繍絵風、コラージュ（糊付け）風など、いわゆる絵画調に変換するものである。画調（〜調）と画風（〜風）は同様の意味であり、画風の方がより絵画的な表現であるが、技術的には相違はない。
【０１１６】
画像処理技術は基本的にフォトレタッチソフト等で知られている各種エフェクト処理（フィルター処理）のパラメータを調整・組み合わせて絵画調に見えるように変換する。
【０１１７】
パラメータとは画素にエフェクト処理をかけるための要素である。すなわち、画素は一般的にＲＧＢ各複数ビットの階調で表現されるが、そのビットデータに演算をかけるための要素である。具体例は下記に示すが、例えば赤を強調するときにＲ×２、Ｇ×０．９、Ｂ×０．５、のような演算をする場合の前記“２”、“０．９”、“０．５”はパラメータの一種である。あるいは、予め演算要素がプログラミングされており、赤の強調度１のときはＲ×１．１、強調度２のときはＲ×１．２、強調度３のときはＲ×１．３のような演算をする場合の強調度もパラメータの一種である。
【０１１８】
また、注目画素と隣接画素の間で所定の演算をかける場合もある。例えば注目画素Ｐ５（ＲＧＢ）を中心に画素Ｐ１（ＲＧＢ）、Ｐ２（ＲＧＢ）、Ｐ３（ＲＧＢ）、Ｐ４（ＲＧＢ）、Ｐ５（ＲＧＢ）、Ｐ６（ＲＧＢ）、Ｐ７（ＲＧＢ）、Ｐ８（ＲＧＢ）、Ｐ９（ＲＧＢ）が上下左右に並んでいるとき、Ｐ５（Ｒ）に対してＰ５（Ｒ）＝Ｐ１（Ｒ）×ｎ１＋Ｐ２（Ｒ）×ｎ２＋Ｐ３（Ｒ）×ｎ３＋Ｐ４（Ｒ）×ｎ４＋Ｐ５（Ｒ）×ｎ５＋Ｐ６（Ｒ）×ｎ６＋Ｐ７（Ｒ）×ｎ７＋Ｐ８（Ｒ）×ｎ８＋Ｐ９（Ｒ）×ｎ９という演算を行い、Ｇ、Ｂについても同様の演算を行う。ｎがパラメータであり、この数値（係数）を変えることにより異なったエフェクト処理ができる。
【０１１９】
エフェクト処理や絵画変換処理はこのような画素に対する複雑な演算処理が予めプログラミングされているものである。
【０１２０】
エフェクト処理の例としては、例えば画像にテクスチャをマッピングし、特殊な質感を与えるテクスチャ処理、画像を輪郭部・細かい模様などのテクスチャ部・平坦部に分類し、それぞれに適宜処理を施すことで、質感と解像感を高める解像度処理、色を色相（Hue）、彩度（Saturation）、明度（Value）の３要素に分類して調整するＨＳＶ処理、画像のＲ（赤）Ｇ（緑）Ｂ（青）各色の度合いを調整するＲＧＢ処理、Ｒ→Ｇ→Ｂの方向に交換するＲＧＢ交換処理、ラプラシアンフィルタと呼ばれるフィルタをかけるエッジ抽出処理、メディアンフィルタと呼ばれるフィルタをかける中間濃度抽出処理、隣接する画素のＲＧＢのヒストグラムを抽出し、画素間のヒストグラムを適宜分布させ、コントラスト修正を行ったり画像のヒストグラムを引き伸ばすイコライズ処理、明るい部分と暗い部分を維持して中間的な明るさを調節するガンマ補正処理、画像の暗い領域を明るくしたり、明るい領域を暗くしたりするシャドー処理、各ピクセルのＲＧＢ値が、しきい値以上の明るさの時に、そのＲＧＢ値を反転するソラリゼーション処理、ランダムにドットを描画し、ノイズを発生させ、ノイズの量や色を調整するノイズ付加処理、などがある。
【０１２１】
また、タッチ（筆触）が異なるように加工するエフェクト処理もある。
具体的には、画像データを構成する画素から、色などを基準として相関の高い画素を集め、グループを形成する。続いて、それぞれのグループの画素に対して、同一のグループの画素については色を該グループの代表色に置き換える。こうして色を代表色に置き換えられた画素のグループがそれぞれの筆触を形成する。かかる画像加工処理によると、グループとして集められる画素の相関の取り方、及び同一の色（代表色）の画素により構成されるグループの形状（長さ（距離）、扁平度）を変化させることによって、形成される筆触を変化させることができ、結果的に、画像データが表す画像の画調を様々な絵画調に変更することができる。そして各種画調毎に、それぞれの処理で用いる相関度、グループの形状を表す長さ、扁平度などのパラメータの最適な組み合わせが設定されており、この情報がパラメータメモリ４１０に記憶されている。絵画変換エンジン２００はパラメータメモリ４１０に記憶された情報に基づいて各種画調への変更を行う。
【０１２２】
複数の画像データの各々を異なる筆触に変更することは、画調を変更する際に、筆触を構成する画素を集めたグループの形状、例えば、グループの扁平度を調整することによって実現できる。筆触を表す同一の色の画素によって構成されるグループの扁平度を大きくすると、筆触は太くなり、結果として画像のタッチは荒く表示される。同一の色の画素によって構成されるグループの扁平度を小さくすると、小さな筆触を作り出すことができ、結果として、画像のタッチが細かく表示される。
【０１２３】
図１７に、このようにして生成される筆触を表す画素のグループの一例を示す。例えば、図１７（ａ）に示すように、筆触を表す同一の色の画素によって構成されるグループの扁平度を大きくすると、筆触は太くなり、結果として画像のタッチは荒く表示される。図１７（ｃ）に示すように、同一の色の画素によって構成されるグループの扁平度を小さくすると、小さな筆触を作り出すことができ、結果として、画像のタッチが細かく表示される。図１７（ｂ）に示すグループは標準的な筆触を表している。
【０１２４】
図１８は、絵画変換の概要を示すフローチャートである。まず、メモリカード６０から絵画変換したい画像をＲＡＭ１３に読み込む（ステップＳ２０２）。画素毎にＲ（赤）Ｇ（緑）Ｂ（青）に対する調整を行うためビットマップデータに変換する（ステップＳ２０４）。
そしてどの画調にしたいかを選択する（ステップＳ２０６）。画調毎に各種パラメータが予めプログラミングされているので、そのパラメータをパラメータメモリ４１０から読み込んで設定する（ステップＳ２０８）。そして対象画像に対してそのパラメータで変換処理を行う（ステップＳ２１０）。
【０１２５】
例えば、水彩画風であれば隣接する画素のＲＧＢのヒストグラムを抽出し、ヒストグラムの分布パラメータを最小濃度側に細かく、最大濃度側に粗くなるようフィルタリングする。更に、画素にガウスフィルタと呼ばれるぼかしフィルタをかけることによって線数の少ないディテールを加え、かすんだような画調を作る。
【０１２６】
次に、環境情報エンジン４００で収集された環境情報を読み込み（ステップＳ２１２）、環境情報に応じてステップＳ２０８で設定したパラメータに対して所定の変換処理を行う（ステップＳ２１４）。すなわち、環境情報に応じて画調を更に変更するものである。そして、変更されたパラメータに従って絵画変換処理を行う（ステップＳ２１６）。これにより、同じカメラで同じ場所を撮影した画像であっても、そのカメラが設置されている場所の環境によって異なった画調の画像を得ることができる。環境情報によって画調を変える例は図１９〜２４により後述する。なお、環境情報を反映させる前の絵画変換画像が必要なければステップＳ２１０の絵画変換処理は省略してしてもよい。
ステップＳ２１６で絵画変換された画像はＪＰＥＧデータに変換して圧縮し（ステップＳ２１８）、内部メモリ１４またはメモリカード６０に保存する（ステップＳ２２０）。
【０１２７】
以下、環境情報に応じて画調を変更する例を説明する。図１９（ａ）、（ｂ）は、環境情報エンジン２００により生成される環境情報の例を表す。環境情報が示す環境の一つは、例えば配信コンテンツサイト５３０の位置（地理的意味で言う位置）である。（図中では環境情報の中の位置を環境データと表記）。位置は、緯度と経度との組み合わせや、郵便番号などで表される。あるいは、住所、電話番号、インターネット５００に接続するためのアクセスポイントの固定ＩＰアドレス、宅配業者等が管理する配送センターコード、などで表されてもよい。日時は、日にちと時刻によって表されてもよいし、ある基準となる地点（例えば、環境情報サーバー５２６が設置されている建物の位置や、グリニッジ標準時ＧＭＴの基準点など）との時差で表されてもよい（図中では環境情報としての日時、天気、気温、湿度、風速などを特徴データと表記）。
【０１２８】
環境情報エンジン４００は、これらの環境情報を、定期的なタイミングで取得し、適宜更新する。図１９（ｂ）は、図１９（ａ）に示す位置にある配信コンテンツサービスサイト５３０の環境情報が更新された後の環境情報の例を表す図である。
【０１２９】
図２０は、パラメータの一つである「変換アルゴリズム」を表す。
例えば、配信コンテンツサイト５３０の環境情報サーバー５２６から“快晴”を示す情報が送られると、ＣＰＵ１１は、環境情報サーバー５２６から受信した画像データに対して、色鉛筆で描かれたような画像になるようにエフェクト処理を施す。
天気の分類の仕方や変換アルゴリズムの分類の仕方は、任意である。また、天気と変換アルゴリズムとの対応付けを任意に変更した実施形態を採用することも可能である。
【０１３０】
図２１は、パラメータの一つである「デフォルメ」を表す。
例えば、環境情報サーバー５２６から“気温１０℃未満”を示す情報が送られると、ＣＰＵ１１は、配信コンテンツサイト５３０から受信した画像データに対して、非常におとなしい程度に特徴部分を誇張した画像となるようにエフェクト処理を施す。
気温の分類の仕方やデフォルメの程度の分類の仕方は、任意である。また、気温とデフォルメの程度との対応付けを任意に変更した実施形態を採用することも可能である。
【０１３１】
図２２は、パラメータの一つである「筆の太さ」を表す。
例えば、環境情報サーバー５２６から“風速１メートル未満”を示す情報が送られると、ＣＰＵ１１は、配信コンテンツサイト５３０から受信した画像データに対して、画像に含まれる輪郭線や特徴線が細くなるようにエフェクト処理を施す。
風速の分類の仕方や筆の太さの程度の分類の仕方は、任意である。また、風速と筆の太さの程度との対応付けを任意に変更した実施形態を採用することも可能である。
【０１３２】
図２３は、センサ４０による得られる気圧、湿度、照度等の情報から天気情報を収集し、あるいは他の配信コンテンツサイト５３０からの天報情報を取得して、その環境情報に応じて絵画変換のアルゴリズム（画調）とパラメータの一つである「筆の太さ」を変える例を示す。例えば快晴の日は非常に細い筆の太さで色鉛筆画風に変換し、雨の日は普通の筆の太さでパステル調に変換する。
【０１３３】
図２４は、時刻情報に応じて絵画の雰囲気を変える例を示す。各種パラメータを調整することにより絵画印刷される素材イメージの画調を変更する例を示し、例えば００：００〜０２：００の間は「なめらかな紙に描いたように」画調変換し、０２：００〜０４：００は「目の粗い紙に描いたように」画調変換する。この素材イメージは正確に定義されるものではなく作者の感性による部分も大きいので、アルゴリズム作成時に予めパラメータを設定し、変換雰囲気を用意しておく。
【０１３４】
以上説明したように、本発明の実施態様によれば、配信コンテンツサイト５３０から受信した環境情報に応じて表示画像の画調を変えることができる。
【符号の説明】
【０１３５】
１    画像表示装置
２    本体
３    液晶表示パネル
５    タッチパネル
６    メモリカードスロット
７    ＧＰＳアンテナ
８    撮像素子
１１    ＣＰＵ
１２    ＲＯＭ
１３    ＲＡＭ
１４    内部メモリ
１６    表示制御部
１７    キー入力制御部
１８    メモリカードインターフェース
１９    撮像制御部
２０    ＧＰＳ制御部
３０    通信制御部
３３    アドレス帳
４０    センサ
６０    メモリカード
７０    電源制御部
１００    顔認識エンジン
２００    絵画変換エンジン
３００    反応ログメモリ
４００    環境情報エンジン
５００    インターネット
５１０    パーソナルコンピュータ
５２０    ネットワークサービスサイト
５２１    認証サーバー
５２２    メールサーバー
５２３    課金サーバー
５２４    コンテンツサーバー
５２５    絵画変換サーバー
５２６    環境情報サーバー
５３０    配信コンテンツサイト
【図１】
2012049850.tif 000003
【図２】
2012049850.tif 000004
【図３】
2012049850.tif 000005
【図４】
2012049850.tif 000006
【図５】
2012049850.tif 000007
【図６】
2012049850.tif 000008
【図７】
2012049850.tif 000009
【図８】
2012049850.tif 000010
【図９】
2012049850.tif 000011
【図１０】
2012049850.tif 000012
【図１１】
2012049850.tif 000013
【図１２】
2012049850.tif 000014
【図１３】
2012049850.tif 000015
【図１４】
2012049850.tif 000016
【図１５】
2012049850.tif 000017
【図１６】
2012049850.tif 000018
【図１７】
2012049850.tif 000019
【図１８】
2012049850.tif 000020
【図１９】
2012049850.tif 000021
【図２０】
2012049850.tif 000022
【図２１】
2012049850.tif 000023
【図２２】
2012049850.tif 000024
【図２３】
2012049850.tif 000025
【図２４】
2012049850.tif 000026